(57)【要約】      （修正有）【課題】多節式構造により組立に便利で、並びに交互に交換可能な中空スリーブの結合により、使用者が速やかに竿体構造に組立ることができる蒸気式モップの提供。【解決手段】竿体構造とベース構造で組成され、竿体構造はハンドル、中空の第１、第２、第３スリーブ及び貯水タンクを具え、該ハンドル、第１、第２、第３スリーブがその上下端縁の対応する係止部と係止座により急速に組み合わされて竿体構造を形成し、且つ第２スリーブに貯水タンク固定リングと固定座が設けられ、該貯水タンクが第２スリーブに固定される。ベース構造は三角上蓋、蒸気室座体及びトレイを具え、三角上蓋の上に適宜角度回転可能な枢設係止座が設けられ、その前端及び左右の角部に凹溝が設けられ、対応するバネが枢設され並びにクランプが位置決めされ、トレイ内部に蒸気室座体が載置され、並びに制御回路板及びその内部回路が内蔵され、三角上端と一体に結合されてベース構造が形成される。【選択図】図２
0003108311.tif 000002
【実用新案登録請求の範囲】
【請求項１】
竿体構造とベース構造で組成され、竿体構造の管体面に貯水タンク固定リングと貯水タンク固定座が設けられて貯水タンクを取り付けて安定して位置決め可能で、該貯水タンク固定座に流量制御弁係止孔が設けられ、その内部に竿体構造管体内部と連通する導水溝が設けられて貯水タンクの装填液体が竿体構造内部に導入され、順調に下向きに流れてベース構造内に流入し、該ベース構造が三角の造形とされ、それに角度回転可能で竿体構造と接続可能な中空枢設係止座が設けられ、ベース構造内部に少なくとも一つの蒸気室座体が設けられ、竿体構造から伝送された液体を加熱並びに蒸発させて底部のトレイを通して蒸気を釈放させることを特徴とする、蒸気式モップ。
【請求項２】
請求項１記載の蒸気式モップにおいて、竿体構造がハンドル、中空の第１、第２、第３スリーブで組成されたことを特徴とする、蒸気式モップ。
【請求項３】
請求項２記載の蒸気式モップにおいて、第１、第２、第３スリーブの上端と下端に相互に対応し係合する係止部と係止座が設けられたことを特徴とする、蒸気式モップ。
【請求項４】
請求項２又は３記載の蒸気式モップにおいて、第２スリーブの管体面に貯水タンク固定リング及び貯水タンク固定座が設けられたことを特徴とする、蒸気式モップ。
【請求項５】
請求項１記載の蒸気式モップにおいて、貯水タンクのタンク本体の背部に竿体構造の管体を収容可能な凹溝が設けられ、タンク本体上端にハンドル及びピストンカバーが設けられ、タンク本体末端に流量制御弁が設けられ、貯水タンク固定座内に係合されることを特徴とする、蒸気式モップ。
【請求項６】
請求項１記載の蒸気式モップにおいて、ベース構造が三角上蓋、蒸気室座体、蒸気孔保護條及びトレイを具えたことを特徴とする、蒸気式モップ。
【請求項７】
請求項６記載の蒸気式モップにおいて、三角上蓋に角度回転可能な中空枢設係止座が設けられ、且つその前端及び左右角部に第１凹溝、第２凹溝及び第３凹溝が設けられ、対応するバネ及び第１クランプ、第２クランプ、及び第３クランプが位置決めされ、そのケース面にさらに電源線、電源押しボタン、電源指示ランプ及び温度指示ランプが設けられたことを特徴とする、蒸気式モップ。
【請求項８】
請求項６記載の蒸気式モップにおいて、蒸気室座体は熱伝導性が良好な金属材料を加圧成形して形成された中空座体であり、それに導水孔と複数の蒸気孔及び少なくとも一つの復流導熱芯管が設けられたことを特徴とする、蒸気式モップ。
【請求項９】
請求項６記載の蒸気式モップにおいて、蒸気孔保護條が耐高熱のプラスチック材料で形成され、それに蒸気室座体の蒸気孔数量に対応する通気孔が設けられたことを特徴とする、蒸気式モップ。
【請求項１０】
請求項６記載の蒸気式モップにおいて、トレイのサイズが三角上蓋に対応し、それは載置凹溝とされ、その内部に蒸気室座体を収容可能で、その一端に電源制御回路板が設置され、底部に蒸気孔保護條にの通気孔数量に対応する穿孔が設けられ、並びにこれにより三角上蓋と結合され一体とされることを特徴とする、蒸気式モップ。
【請求項１１】
蒸気式モップにおいて、竿体構造とベース構造で組成され、竿体構造はハンドル、中空の第１スリーブ、第２スリーブ、第３スリーブ及び貯水タンクを具え、
該ハンドルは、滑り止め構造を具え、且つその底端に係止座に係合可能な係止部が設けられ、
該第１スリーブは中空管体とされ、その管体面に複数の電線固定クリップが設けられ、且つその上端に係止座が設けられ、底端に係止部が設けられ、
該第２スリーブは中空管体とされ、その上端に係止座が設けられ、底端に係止部が設けられ、別に管体面に貯水タンク固定リングと貯水タンク固定座が設けられ、
該第３スリーブは中空管体とされ、その上端に係止座が設けられ、底端に係止部が設けられ、
該貯水タンクは、タンク本体背部にスリーブを収容可能な凹溝が設けられ、且つタンク本体上端にハンドル及びピストンカバーが設けられ、タンク本体末端に流量制御弁が設けられ、該流量制御弁が貯水タンク固定座内に係合され、貯水タンク装填液体を第３スリーブの中空管体内部に導入し並びにベース構造内に流入させ、
該ベース構造は三角上蓋、蒸気室座体、蒸気孔保護條、トレイを具え、
該三角上蓋は角度回転可能な中空枢設係止座が枢設され、且つその前端及び左右角部に第１凹溝、第２凹溝、第３凹溝が設けられて対応するバネの枢設及び第１クランプ、第２クランプ及び第３クランプの位置決めに供され、且つそのケース面に電源線、電源押しボタン、電源指示ランプ及び温度指示ランプが設けられ、
該蒸気室座体は、熱伝導性が良好な金属材料を加圧成形して形成された中空座体であり、それに導水孔と複数の蒸気孔及び少なくとも一つの復流導熱芯管が設けられ、貯水タンク装填液体をその内部に流入させ、並びに該液体を加熱してそれに蒸気を発生させ、並びに該蒸気を蒸気孔を通して蒸気室座体外部に釈放し、
該蒸気孔保護條が耐高熱の材料で形成され、それに蒸気室座体の蒸気孔数量に対応する通気孔が設けられて該通気孔が蒸気孔に嵌合され、
該トレイはそのサイズが三角上蓋に対応し、その内部に蒸気室座体を収容可能で、その１端に電源制御回路板が設置され、底部に蒸気孔保護條の通気孔数量に対応する穿孔が設けられ、並びに三角上蓋と結合されてベース構造を形成することを特徴とする、蒸気式モップ。
【考案の詳細な説明】
【技術分野】
【０００１】
本考案は一種の蒸気式モップに係り、特に急速に組立可能で且つ貯水タンクが掛けられた竿体構造と、蒸気室座体を具えた三角形ベース構造で組成され、使用時に、貯水タンクの内容液体が蒸気室座体内に導入され、高温で沸騰して蒸気を発生し、並びに蒸気孔よりベース底部を被覆する布にしみこみ、モップ構造の高温蒸気による汚れ除去効果が強化された、蒸気式モップに関する。
【背景技術】
【０００２】
床の汚れ除去の最も効率的な方法はモップで拭く動作であり、床の汚れを簡単に除去できるように、多くの業者は関係機能の開発と設計に尽力し、掃除の実用機能を高めている。そのうち、特許文献１には、貯水タンク内容液体を加熱して蒸気を発生させ、並びに蒸気を布に向けて釈放して汚れ除去効果を高めたモップ構造が記載されている。ただしその構造は複雑で、組立が容易でなく、その修理と製造コストが高い。特にこの周知の技術は貯水タンクと蒸気室座体が併せてベース構造（底部）内に設けられ、貯水タンク内に充填された液体圧力が十分でなく、実際に蒸気室座体に流れる液体流量が不足し、さらには蒸気室座体内部に導入されず、蒸気室座体の乾燥状態で加熱されて焼損しやすく、使用者にとっては安全性に欠けている。さらにこの貯水タンクはベース構造内に設置されているが、ベース構造はその内部の収容空間が有限であり、このため貯水タンクに容量が小さい容器を使用せざるを得ず、経常的に貯水タンク内容液体を補充しなければならず不便であり、或いはベース構造は貯水タンクを収容するためそのサイズを増加すると、膨大なベース外観を形成するのみならず、容量が大きな貯水タンクに洗剤を充填した後、ベース構造の重量が相当に増加し、モップで床掃除をする使用者にとっては、大きな負担と不便を形成した。
【０００３】
【特許文献１】米国特許出願第１０／２１７４４３号明細書
【考案の開示】
【考案が解決しようとする課題】
【０００４】
上述の周知の技術の欠点を鑑み、本考案の主要な目的は竿体構造とベース構造で組成されて、構造が簡単で、組立が便利で、使用が簡単で、且つ床を掃除すると同時に高温蒸気により汚れ除去効果を強化できる一種の蒸気式モップを提供することにある。
【０００５】
本考案の次の目的は、多節式構造により組立に便利で、並びに交互に交換可能な中空スリーブの結合により、使用者が速やかに竿体構造に組立ることができる蒸気式モップを提供することにある。
【０００６】
本考案のさらなる目的は、貯水タンクが竿体構造に設置され、必要に応じて貯水タンクの容量を増すことができ、並びに随時その装填液体を補充でき、さらに貯水タンクが竿体構造（高所）に設置され、その装填液体のベース構造（低所）への流量がさらに順調である蒸気式モップを提供することにある。
【０００７】
本考案のまた別の目的は、ベース構造の三角形外形設計により、床掃除する時、死角の問題が発生しない蒸気式モップを提供することにある。
【０００８】
本考案のさらに別の目的は、適当な角度に回転する中空枢設係止座の設置により、竿体構造がベース構造中に枢設されて使用者が床掃除をする時、力を入れずに大きな範囲の掃除角度変化が行える蒸気式モップを提供することにある。
【課題を解決するための手段】
【０００９】
請求項１の考案は、竿体構造とベース構造で組成され、竿体構造の管体面に貯水タンク固定リングと貯水タンク固定座が設けられて貯水タンクを取り付けて安定して位置決め可能で、該貯水タンク固定座に流量制御弁係止孔が設けられ、その内部に竿体構造管体内部と連通する導水溝が設けられて貯水タンクの装填液体が竿体構造内部に導入され、順調に下向きに流れてベース構造内に流入し、該ベース構造が三角の造形とされ、それに角度回転可能で竿体構造と接続可能な中空枢設係止座が設けられ、ベース構造内部に少なくとも一つの蒸気室座体が設けられ、竿体構造から伝送された液体を加熱並びに蒸発させて底部のトレイを通して蒸気を釈放させることを特徴とする、蒸気式モップとしている。
請求項２の考案は、請求項１記載の蒸気式モップにおいて、竿体構造がハンドル、中空の第１、第２、第３スリーブで組成されたことを特徴とする、蒸気式モップとしている。
請求項３の考案は、請求項２記載の蒸気式モップにおいて、第１、第２、第３スリーブの上端と下端に相互に対応し係合する係止部と係止座が設けられたことを特徴とする、蒸気式モップとしている。
請求項４の考案は、請求項２又は３記載の蒸気式モップにおいて、第２スリーブの管体面に貯水タンク固定リング及び貯水タンク固定座が設けられたことを特徴とする、蒸気式モップとしている。
請求項５の考案は、請求項１記載の蒸気式モップにおいて、貯水タンクのタンク本体の背部に竿体構造の管体を収容可能な凹溝が設けられ、タンク本体上端にハンドル及びピストンカバーが設けられ、タンク本体末端に流量制御弁が設けられ、貯水タンク固定座内に係合されることを特徴とする、蒸気式モップとしている。
請求項６の考案は、請求項１記載の蒸気式モップにおいて、ベース構造が三角上蓋、蒸気室座体、蒸気孔保護條及びトレイを具えたことを特徴とする、蒸気式モップとしている。
請求項７の考案は、請求項６記載の蒸気式モップにおいて、三角上蓋に角度回転可能な中空枢設係止座が設けられ、且つその前端及び左右角部に第１凹溝、第２凹溝及び第３凹溝が設けられ、対応するバネ及び第１クランプ、第２クランプ、及び第３クランプが位置決めされ、そのケース面にさらに電源線、電源押しボタン、電源指示ランプ及び温度指示ランプが設けられたことを特徴とする、蒸気式モップとしている。
請求項８の考案は、請求項６記載の蒸気式モップにおいて、蒸気室座体は熱伝導性が良好な金属材料を加圧成形して形成された中空座体であり、それに導水孔と複数の蒸気孔及び少なくとも一つの復流導熱芯管が設けられたことを特徴とする、蒸気式モップとしている。
請求項９の考案は、請求項６記載の蒸気式モップにおいて、蒸気孔保護條が耐高熱のプラスチック材料で形成され、それに蒸気室座体の蒸気孔数量に対応する通気孔が設けられたことを特徴とする、蒸気式モップとしている。
請求項１０の考案は、請求項６記載の蒸気式モップにおいて、トレイのサイズが三角上蓋に対応し、それは載置凹溝とされ、その内部に蒸気室座体を収容可能で、その一端に電源制御回路板が設置され、底部に蒸気孔保護條にの通気孔数量に対応する穿孔が設けられ、並びにこれにより三角上蓋と結合され一体とされることを特徴とする、蒸気式モップとしている。
請求項１１の考案は、蒸気式モップにおいて、竿体構造とベース構造で組成され、竿体構造はハンドル、中空の第１スリーブ、第２スリーブ、第３スリーブ及び貯水タンクを具え、
該ハンドルは、滑り止め構造を具え、且つその底端に係止座に係合可能な係止部が設けられ、
該第１スリーブは中空管体とされ、その管体面に複数の電線固定クリップが設けられ、且つその上端に係止座が設けられ、底端に係止部が設けられ、
該第２スリーブは中空管体とされ、その上端に係止座が設けられ、底端に係止部が設けられ、別に管体面に貯水タンク固定リングと貯水タンク固定座が設けられ、
該第３スリーブは中空管体とされ、その上端に係止座が設けられ、底端に係止部が設けられ、
該貯水タンクは、タンク本体背部にスリーブを収容可能な凹溝が設けられ、且つタンク本体上端にハンドル及びピストンカバーが設けられ、タンク本体末端に流量制御弁が設けられ、該流量制御弁が貯水タンク固定座内に係合され、貯水タンク装填液体を第３スリーブの中空管体内部に導入し並びにベース構造内に流入させ、
該ベース構造は三角上蓋、蒸気室座体、蒸気孔保護條、トレイを具え、
該三角上蓋は角度回転可能な中空枢設係止座が枢設され、且つその前端及び左右角部に第１凹溝、第２凹溝、第３凹溝が設けられて対応するバネの枢設及び第１クランプ、第２クランプ及び第３クランプの位置決めに供され、且つそのケース面に電源線、電源押しボタン、電源指示ランプ及び温度指示ランプが設けられ、
該蒸気室座体は、熱伝導性が良好な金属材料を加圧成形して形成された中空座体であり、それに導水孔と複数の蒸気孔及び少なくとも一つの復流導熱芯管が設けられ、貯水タンク装填液体をその内部に流入させ、並びに該液体を加熱してそれに蒸気を発生させ、並びに該蒸気を蒸気孔を通して蒸気室座体外部に釈放し、
該蒸気孔保護條が耐高熱の材料で形成され、それに蒸気室座体の蒸気孔数量に対応する通気孔が設けられて該通気孔が蒸気孔に嵌合され、
該トレイはそのサイズが三角上蓋に対応し、その内部に蒸気室座体を収容可能で、その１端に電源制御回路板が設置され、底部に蒸気孔保護條の通気孔数量に対応する穿孔が設けられ、並びに三角上蓋と結合されてベース構造を形成することを特徴とする、蒸気式モップとしている。
【考案の効果】
【００１０】
本考案の蒸気式モップは、竿体構造とベース構造で組成され、その構造が簡単で、組立に便利であり、且つ床掃除と同時に高温蒸気を発生して掃除効果を強化でき、且つ貯水タンクが竿体構造（高所）に設置されて、その装填液体のベース構造（低所）への流入が順調であり、並びに必要に応じて貯水タンクの容量を増加でき、並びに随時装填液体を補充でき、新規性と進歩性を有している。
【考案を実施するための最良の形態】
【００１１】
本考案の蒸気式モップは、竿体構造とベース構造で組成され、竿体構造はハンドル、中空の第１、第２、第３スリーブ及び貯水タンクを具え、該ハンドル、第１、第２、第３スリーブがその上下端縁の対応する係止部と係止座により急速に組み合わされて竿体構造を形成し、第１、第２、第３スリーブ接合後には上下に対応し且つ一体に連動する状態を呈する。
【００１２】
上述のハンドルは、滑り止め構造を具え、且つその底端に係止座に係合可能な係止部が設けられている。第１スリーブの管体面に複数の電線固定クリップが設けられ、且つその上端に係止座が設けられ、底端に第２スリーブに係合可能な係止部が設けられている。該第２スリーブはその上端に第１スリーブと係合可能な係止座が設けられ、底端に第３スリーブと係合可能な係止部が設けられ、別にその管体面に貯水タンク固定リングと貯水タンク固定座が設けられ、そのうち、貯水タンク固定座は中空で、それは中空スリーブと連通し、貯水タンクに収容された液体を中空スリーブ内部に導入する。第３スリーブの上端に第２スリーブと係合可能な係止座が設けられ、その底端にベース構造の中空枢設係止座と係合可能な係止部が設けられている。該貯水タンクは洗剤或いは清水が装填され、貯水タンクの背部にスリーブを収容可能な凹溝が設けられ、且つ貯水タンクの上端にハンドルとピストンカバーが設けられ、別に貯水タンクの末端に流量制御弁が設けられ、該流量制御弁は貯水タンク固定座内に係合され、貯水タンク内の液体を中空スリーブに導入し、並びにベース構造に導入する。
【００１３】
該ベース構造は三角上蓋、蒸気室座体及びトレイを具え、三角上蓋の上に適宜角度回転可能な中空枢設係止座が設けられ、その前端及び左右の角部に第１、第２、第３凹溝が設けられ、対応するバネの枢設及び第１クランプ、第２クランプ及び第３クランプの位置決めに供され、且つそのケース面に電源線、電源押しボタン、電源指示ランプ及び温度指示ランプが設けられている。該蒸気室座体は、熱伝導性が良好な金属材料を加圧成形してなる中空座体であり、それに導水孔、複数の蒸気孔及び複数の導熱芯管が設けられ、それは貯水タンク装填液体のその内部への流入に供され、並びに該液体を加熱し、それに蒸気を発生させ、並びに蒸気孔を通して座体外部に釈放する。該トレイは、サイズが三角上蓋に対応する凹溝を具え、その内部に蒸気室座体を収容し、その１端に電源制御回路板を具え、並びにその制御回路板と関係する内部回路を内蔵でき、底部に蒸気室座体の蒸気孔数量に対応する通気孔を具え、三角上蓋と結合されて一体のベース構造を形成する。ベース構造は上述の中空枢設係止座で竿体構造と組み合わされて全体の蒸気式モップを完成する。
【実施例１】
【００１４】
図１に示されるのは、本考案の立体分解図であり、図示されるように、該蒸気式モップは、竿体構造１とベース構造２で組成され、そのうち、竿体構造１はハンドル１１、中空の第１、第２、第３スリーブ１２、１３、１４及び貯水タンク１５を具え、該ハンドル１１は、表面に滑り止め構造を具え、且つその底端に第１スリーブ１２の上端に設置された係止座１２１に係合可能な係止部１１１が設けられている。第１スリーブ１２は中空管体とされ、その管体面にこの実施例では二つの電線固定クリップ１２３が設けられ、且つその上端に係止座１２１が設けられ、底端に係止部１２２が設けられている。
【００１５】
第２スリーブ１３は中空管体とされ、その上端に係止座１３１が設けられ、底端に係止部１３２が設けられ、且つその管体面に半円弧形で相互に挟合する貯水タンク固定リング１３３と貯水タンク固定座１３４が設けられ、該貯水タンク固定座１３４は中空座体とされ、それに流量制御弁係止孔１３４１が設けられ、且つ内部に導水溝が設けられ、導水溝は第２スリーブ１３の内管壁と連通している。
【００１６】
該貯水タンク１５のタンク本体背部に第２スリーブ１３を収容可能な凹溝１５１が設けられ、且つ貯水タンク１５のタンク本体上端にハンドル１５２とピストンカバー１５３が設けられ、別に貯水タンク１５のタンク本体底端に流量制御弁１５４が設けられ、該流量制御弁１５４は上述の貯水タンク固定座１３４の流量制御弁係止孔１３４１内に係合され、これにより貯水タンク１５の装填液体が第２スリーブ１３末端に導入され、並びに第３スリーブ１４の中空管体内部に流入し、さらにその下のベース構造２内に流入する。
【００１７】
第３スリーブ１４は中空管体とされ、その上端に係止座１４１が設けられ、底端に係止部１４２が設けられている。
【００１８】
上述のハンドル１１、第１、第２、第３スリーブ１２、１３、１４に設けられた係止部１１１、１２２、１３２、１４２は、それに押しボタンが枢設されて係止部１１１、１２２、１３２、１４２の表面より突出し、且つ押しボタンはバネの弾性を利用してスリーブ管体を係止する。別に第１スリーブ１２、第２スリーブ１３、第３スリーブ１４に設けられた係止座１２１、１３１、１４１は、ハンドル１１、第１スリーブ１２、第２スリーブ１３、第３スリーブ１４に設けられた係止部１１１、１２２、１３２、１４２に対応しそれと係合し、それに位置決め孔が設けられ、上述の係止部１１１、１２１、１３２、１４２に設けられた押しボタンが係止座１２１、１３１、１４１に係合した後に該位置決め孔より突出して位置決め効果が形成され、これにより急速に一体の竿体構造１を組み立てることができ、これにより第１、第２、第３スリーブ１２、１３、１４は接合後に上下に対応し且つ一体に連動する状態を呈する。
【００１９】
また、ベース構造２は、三角上蓋２１、蒸気室座体２５、及びトレイ２８を具え、該三角上蓋２１に枢設孔２１４が設けられ、並びに角度回転可能な中空枢設係止座２９が枢設され、且つその前端及び左右の角部に第１凹溝２１１、第２凹溝２１２及び第３凹溝２１３が設けられ、対応するバネ２２４、２３４、２４４の枢設及び第１クランプ２２、第２クランプ２３及び第３クランプ２４の位置決めに供され、且つそのケース面に電源線２１７、電源押しボタン２１８、電源指示ランプ２１５及び温度指示ランプ２１６が設けられている。そのうち、該中空枢設係止座２９はその上端に係止座が設けられてその下端は円弧状の枢設部を利用して三角上蓋２１の枢設孔２１４と枢設され、該中空枢設係止座２９は第１、第２、第３スリーブ１２、１３、１４に設けられた係止部１２２、１３２、１４２と係合可能で、その構造は竿体構造１に設けられた係止座１２１、１３１、１４１と同じである。且つ第１、第２、第３凹溝２１１、２１２、２１３の外側下端平面に、複数の止滑用の突起２１２１、２１３１（第１凹溝２１１は図中の角度の関係から表示されていない）が設けられ、且つ第１、第２、第３凹溝２１１、２１２、２１３の内側下端平面に、バネ受け座２１２３、２１３３及びネジ枢設孔２１２２、２１３２が設けられている（第１凹溝２１１は図中の角度の関係から表示されていない）。
【００２０】
第１、第２、第３クランプ２２、２３、２４はその底端面に十字形バネ固定座２４３及びネジ位置決め座２４２が設けられ（図中の角度の関係から、わずかに第３クランプ２４の細部構造のみ表示されるが、第１、第２クランプ２２、２３は第３クランプ２４の構造と同じである）、第１、第２、第３凹溝２１１、２１２、２１３内側に設けられたバネ受け座２１２３、２１３３及びネジ枢設孔２１２２、２１３２と対応し（第１凹溝２１１は図中の角度の関係から表示されていない）、且つ第１、第２、第３クランプ２２、２３、２４はその底端面外側前端にそれぞれ複数の止滑の突起２２１、２３１、２４１が設けられている。組立時には、バネ２２４、２３４、２４４が第１、第２、第３凹溝２１１、２１２、２１３に設けられたバネ受け座２１２３、２１３３に置かれ（第１凹溝２１１は図中の角度の関係から表示されていない）、並びにネジ２２５、２３５、２４５が第１、第２、第３凹溝２１１、２１２、２１３に設けられたネジ枢設孔２１２２、２１３２（第１凹溝２１１は図中の角度の関係から表示されていない）にねじ込まれ、第１、第２、第３クランプ２２、２３、２４と三角上蓋２１が一体にネジ止めされ、並びに第１、第２、第３クランプ２２、２３、２４が押圧を受けて外側に向けて隆起し、並びに恒常的にバネの弾力回復作用を受ける（図３参照）。
【００２１】
該蒸気室座体２５は、熱伝導性が良好な金属材料を加圧成形してなる中空座体であり、それに導水孔２５１、複数の蒸気孔２５２及び復流導熱芯管２５３が設けられ、該導水孔２５１が貯水タンク１５の装填液体をその内部に流入させ、並びに復流導熱芯管２５３で金属座体を加熱し、該液体を蒸発させて蒸気を発生させ、並びに該蒸気孔２５２より蒸気を蒸気室座体２５外部に釈放する。
【００２２】
別に耐高熱の材料で形成された蒸気孔保護條２６を具え、それに蒸気室座体２５の蒸気孔２５２数量に対応する通気孔２６１が設けられ、並びに対応する蒸気孔２５２に嵌合され、これにより蒸気室座体２５の高温によりベース構造２が損傷し、危険が形成されるのを防止する。
【００２３】
別にトレイ２８は、そのサイズが三角上蓋２１に対応し、蒸気室座体２５を収容可能な載置凹溝とされ、その１端に電源制御回路板２７が設けられ、底部に蒸気孔保護條２６の通気孔２６１数量に対応する穿孔２８１が設けられ、並びにこれにより三角上蓋２１と一体に結合されてベース構造２を形成する。
【００２４】
組立時には、上述の細部構造により、対応する装置が組み合わされ、全体の蒸気式モップが形成され、その外観立体図は図２のようである。
【００２５】
さらに図３及び図４はそのベース構造２の第１、第２、第３クランプ２２、２３、２４の動作表示図である。図に明らかに示されるように、該第１、第２、第３クランプ２２、２３、２４はネジで三角上蓋２１に組み付けられた後、恒常的にバネの弾力回復作用を受け、それは押圧により外側前端の止滑突起２２１、２３１、２４１が一部外側に隆起し、これにより布３０をその下方にしっかりと保持し、これは図４に示されるようであり、これにより掃除動作を行うことができ、並びに使用後の汚れた布３０を交換するのに便利である。図５は本考案の別の外観立体図であり、本考案のベース構造２の第１、第２、第３クランプ２２、２３、２４で布３０を固定した後の外観立体図であり、使用者は貯水タンク１５のピストンカバー１５３より清水或いは洗剤を装填でき、並びに電源線２１７を電源に接続した後、即刻掃除を行うことができ、床を掃除すると同時に、貯水タンク１５の流量制御弁１５４で流量を調節でき、並びに貯水タンク固定座１３４により貯水タンク１５装填液体を第２スリーブ１３末端に導入し、並びに第３スリーブ１４の中空管体内部に流入させ、さらに底部のベース構造２内に流入させ、並びに蒸気室座体２５の導水孔２５１内に流入させ、電源制御回路板２７の制御により、復流導熱芯管２５３に金属座体を加熱させ、液体を蒸発させて蒸気を発生させ、並びに蒸気孔２５２より蒸気を蒸気室座体２５外部に釈放させ、並びにトレイ２８の穿孔２８１により布３０に漏洩させ、これにより掃除動作を行うと同時に、高温蒸気により汚れ除去を強化することができ、実質的な掃除効果を高めることができる。電源接続と同時に、三角上蓋２１の電源指示ランプ２１５が点灯し、蒸気室座体２５が一定温度に加熱されると、その温度指示ランプ２１６が点灯し、使用者の使用の安全を保護する。
【００２６】
以上は本考案の実施例の説明であって、本考案に基づきなしうる細部の修飾或いは改変は、いずれも本考案の請求範囲に属するものとする。
【図面の簡単な説明】
【００２７】
【図１】本考案の立体分解図である。
【図２】本考案の外観立体図である。
【図３】本考案のベース構造のクランプの動作表示図である。
【図４】本考案のベース構造のクランプの挟持動作表示図である。
【図５】本考案の別の外観立体図である。
【符号の説明】
【００２８】
１  竿体構造
１１  ハンドル
１１１  係止部
１２  第１スリーブ
１２１  係止座
１２２  係止部
１２３  電源線固定クリップ
１３  第２スリーブ
１３１  係止座
１３２  係止部
１３３  貯水タンク固定リング
１３４  貯水タンク固定座
１３４１  流量制御弁係止孔
１４  第３スリーブ
１４１  係止座
１４２  係止部
１５  貯水タンク
１５１  凹溝
１５２  ハンドル
１５３  ピストンカバー
１５４  流量制御弁
２  ベース構造
２１  三角上蓋
２１１  第１凹溝
２１２  第２凹溝
２１２１  突起
２１２２  ネジ枢設孔
２１２３  バネ受け座
２１３  第３凹溝
２１３１  突起
２１３２  バネ受け座
２１４  枢設孔
２１５  電源指示ランプ
２１６  温度指示ランプ
２１７  電源線
２１８  電源押しボタン
２２  第１クランプ
２２１  突起
２２４  バネ
２２５  ネジ
２３  第２クランプ
２３１  突起
２３４  バネ
２３５  ネジ
２４  第３クランプ
２４１  突起
２４２  ネジ位置決め座
２４３  十字形バネ固定座
２４４  バネ
２４５  ネジ
２５  蒸気室座体
２５１  導水孔
２５２  蒸気孔
２５３  導熱芯管
２６  蒸気孔保護條
２６１  通気孔
２７  電源制御回路板
２８  トレイ
２８１  穿孔
２９  枢設係止座
３０  布
【図１】
0003108311.tif 000003
【図２】
0003108311.tif 000004
【図３】
0003108311.tif 000005
【図４】
0003108311.tif 000006
【図５】
0003108311.tif 000007